(57)【特許請求の範囲】
【請求項１】
キャップと、
材料カプセルと、
前記材料カプセルを内部に位置決めするカプセルネストであって、前記キャップと別体であり、前記キャップに係合可能なカプセルネストと、
ベースと、を備え、
前記カプセルネストは螺旋状エッジを備え、前記キャップは、前記螺旋状エッジと協働する螺旋状マージンを備える、材料解放スパウト。
【請求項２】
前記ベースはねじ込み式ノズルを備える、請求項１に記載の材料解放スパウト。
【請求項３】
前記材料カプセルは熱成形材料からなる、請求項１に記載の材料解放スパウト。
【請求項４】
前記カプセルネストは射出成形材料からなる、請求項３に記載の材料解放スパウト。
【請求項５】
前記材料カプセルは封止層を備え、前記ベースは、前記封止層と協働するカッターを備える、請求項１に記載の材料解放スパウト。
【請求項６】
前記カッターは複数の歯を備える、請求項５に記載の材料解放スパウト。
【請求項７】
螺旋状マージンを備えるキャップと、
封止層を備える材料カプセルと、
前記材料カプセルを内部に位置決めするカプセルネストであって、前記キャップの前記螺旋状マージンと協働する螺旋状エッジを備えるカプセルネストと、
前記キャップが回されたときに前記材料カプセルの前記封止層と協働するカッターを備えるねじ込み式ノズルと、を備える、材料解放スパウト。
【請求項８】
前記材料カプセルは熱成形材料からなる、請求項７に記載の材料解放スパウト。
【請求項９】
前記カプセルネストは射出成形材料からなる、請求項８に記載の材料解放スパウト。
【請求項１０】
前記カッターは複数の歯を備える、請求項７に記載の材料解放スパウト。
【発明の詳細な説明】
【技術分野】
【０００１】
[0101]  本出願は、スパウトおよびこのスパウトを様々な容器のノズルにセットするための関連一体型カプセルに関する。このスパウトは、液体または自由流動性の形態の別個の物質を、このカプセルから容器内に投入できるようにする。この投入は、スパウトが最初に開かれたときに自動的に行われ、それにより、不正開封防止シールも提供する。
【背景技術】
【０００２】
[0102]  多くのボトル入り飲料は、今日、濃縮物を大量の水と混合することによって製造されている。次いで、飲料はボトルに詰められ、配布される。飲料を最終的な混合形態で提供することに代えて、消費者がボトルを最初に開けたときにのみ液体と混合することができれば、ボトラーは、液体、特に水を濃縮物と共に充填するだけでよく、より効率的であろう。この目的のために、消費者が最初にボトルを開けたときに濃縮物と液体または水との両方が混合するように、濃縮物が液体または水の中に自動的に添加される。
【発明の概要】
【発明が解決しようとする課題】
【０００３】
[0103]  したがって、消費者がプラスチックスパウトを最初に開けたときに、別個の物質を容器内に自動的に投入する、関連ノズルを有するプラスチックスパウトを製造することが望まれる。
【課題を解決するための手段】
【０００４】
[0104]  そこで、本出願は、材料解放スパウトを記載する。材料解放スパウトは、キャップと、材料カプセルと、材料カプセルを内部に有するカプセルネストと、ベースと、を含み得る。
【０００５】
[0105]  ベースは、ねじ込み式ノズルを含み得る。材料カプセルは熱成形材料からなり得えると共に、カプセルネストは射出成形材料からなり得る。カプセルネストは、螺旋状エッジを含み得、キャップは、螺旋状エッジと協働する螺旋状マージンを含み得る。材料カプセルは、封止層を含み得ると共に、ベースは、封止層と協働するカッターを含み得る。カッターはいくつかの歯を含み得る。
【０００６】
[0106]  本出願は、材料解放スパウトをさらに記載する。材料解放スパウトは、螺旋状マージンを有するキャップと、封止層を有する材料カプセルと、材料カプセルを内部に有するカプセルネストと、ねじ込み式ノズルと、を含み得る。カプセルネストは、キャップの螺旋状マージンと協働する螺旋状エッジを含み得るものであり、ねじ込み式ノズルは、キャップが回されたときに、材料カプセルの封止層と協働するカッターを含み得る。材料カプセルは熱成形材料からなり得ると共に、カプセルネストは射出成形材料からなり得る。カッターはいくつかの歯を含み得る。
【０００７】
[0107]  本出願は、材料を容器内に解放する方法をさらに記載する。方法は、カプセルに材料をファイリングするステップと、カプセルをカプセルネスト内に位置決めするステップと、カッターを内部に有するスパウト内にカプセルおよびカプセルネストを位置決めするステップと、スパウトを容器上に位置決めするステップと、カプセルネストがカプセルをカッターに押し付けて、材料をカプセルから容器内に解放するようにスパウトを回転させるステップとを含み得る。
【０００８】
[0108]  本出願は、物質を容器内に投入する、関連する容器用のスパウトをさらに提供する。スパウトは、キャップと、充填可能でありかつ封止層で封止可能なカプセルと、容器にねじ込むことができるノズルであって、ノズルの内部で突出する穿孔装置を担持するノズルと、を含み得る。キャップが回されると、カプセルの封止層が穿孔装置によって穿孔され得る。
【０００９】
[0109]  ノズルは、容器の内部で伸張する開口スリーブを含み得る。穿孔装置は切断歯を含み得る。ノズルは逆時計回りに回転するねじを含み得るものであり、キャップは、保証テープに達するまで、逆時計回りの方向にねじ込まれる。保証テープが取り外された後、キャップをノズルまで完全に回すことができ、その間にカプセルの封止層が穿孔される。
【００１０】
[0110]  キャップは、同軸ストッパを通って上を向いた飲料ノズルを含み得るものであり、カプセルは、ストッパが押し下げられると、穿孔装置によって穿孔され得る。ストッパは、初期プルアウト位置では、飲料スパウトの開口を完全に封止し、キャップの第2の完全にプルアウトされた位置では、飲料スパウトの開口はストッパの上にある。キャップは、取り付け可能な保護キャップによって封止され得る。
【００１１】
[0111]  本出願は、容器ノズル用の容器のプラスチックスパウトであって、プラスチックスパウトの開口を通して別個の物質を容器内に自動的に投入するプラスチックスパウトをさらに記載する。スパウトは、キャップと、別個に充填可能でありかつ充填後にフォイルまたは他のもので封止可能なカプセルと、容器ノズルにねじ込むことができるねじ込み式ノズルと、を含み得る。封止フォイルを有するカプセルは、キャップ内またはねじ込み式ノズル内で固定することができる。ねじ込み式ノズルは、ねじ込み式ノズルがセットされたときに容器ノズル内で伸張する開口スリーブを担持し、穿孔歯および切断歯、または切断歯を有する穿孔・切断装置を含む。ノズルは、キャップおよび開口スリーブを緩めたときに、穿孔歯および切断歯、または切断歯を介して封止フォイルを穿孔し切断しながら、カプセルを変位できるようないくつかの力伝達構成要素をさらに含む。
【図面の簡単な説明】
【００１２】
[0112]  図において、このスパウトの様々な変形を様々な図に示す。これらの図を参照して、スパウトについて詳細に説明すると共に、その機能について説明する。
【００１３】
【図１】[0113]下から斜めに見た、別個に示された回転式キャップと、カプセルと、開口スリーブ付きのねじ込み式ノズルとを有するプラスチックスパウトの第1の変形の個々のパーツの分解図である。
【図２】[0114]上から斜めに見た、別個に示された回転式キャップと、カプセルと、開口スリーブ付きのねじ込み式ノズルとを有するプラスチックスパウトの第1の変形の個々のパーツの分解図である。
【図３】[0115]下から斜めに見た回転式キャップの拡大斜視図である。
【図４】[0116]横から見た、別個に示された回転式キャップと、カプセルと、開口スリーブ付きのねじ込み式ノズルを有するプラスチックスパウトの第1の変形の個々のパーツの分解図である。
【図５】[0117]回転式キャップと、カプセルと、開口スリーブ付きのねじ込み式ノズルとの回転軸に沿った長手方向における個々のパーツの断面図である。
【図６】[0118]側方から見た、共通軸上に位置された回転式キャップ、カプセル、ねじ込み式ノズル、および容器ボトルを有するプラスチックスパウトの第２の変形の個々のパーツの分解図である。
【図７】[0119]図６によるプラスチックスパウトの個々のパーツの分解図である。
【図８】[0120]液体を出すために必要な容器ノズルを有する容器に取り付けられたこのプラスチックスパウトの、回転軸に沿った長手方向における断面図である。
【図９】[0121]プラスチックスパウトの回転式キャップおよびカプセルの回転軸に沿った長手方向における断面図である。
【図１０】[0122]保証テープを有する回転式キャップの側面図である。
【図１１】[0123]下から見た、保証テープを有する回転式キャップの斜視図である。
【図１２】[0124]側面から見た、保証テープを有する回転式キャップの断面図である。
【図１３】[0125]個々のパーツが共通軸に沿って位置合わせされた、スポーツまたは飲料クロージャの形態のプラスチックスパウトの第３の変形の個々のパーツの分解図である。
【図１４】[0126]下から斜めに見た、図１３によるプラスチックスパウトに属するカプセルの開口スリーブの斜視図である。
【図１５】[0127]上から斜めに見た、図１３によるプラスチックスパウトに属するカプセルの開口スリーブの斜視図である。
【図１６】[0128]取り付けられて閉じられているが、まだ開けられていない状態での図１３によるプラスチックスパウトの軸に沿った断面図である。
【図１７】[0129]保護キャップが取り外され、物質がカプセル内に投入される前の状態の図１３によるプラスチックスパウトの軸に沿った断面図である。
【図１８】[0130]ストッパが押し下げられ、それによりカプセルが開かれ、カプセルの内容物が容器内に投入された後であるが、飲料ノズルが閉位置にある、図１３によるプラスチックスパウトの軸に沿った断面図である。
【図１９】[0131]ストッパが押し下げられ、それによりカプセルが開かれ、カプセルの内容物が容器内に投入された後であり、ここでは、飲料ノズルが開位置にある、図１３によるプラスチックスパウトの軸に沿った断面図である。
【図２０】[0132]伸長した設計を有する飲料ノズルが閉位置にある状態の図１３によるプラスチックスパウトの断面図である。
【図２１】[0133]飲料ノズルが開位置にある状態の図２０によるプラスチックスパウトの断面図である。
【図２２】[0134]飲料ノズルが開位置にあるが、流れる液体の経路が見えるように、角度を数度回転させた状態の図２０によるプラスチックスパウトの断面図である。
【図２３】[0135]上から斜めに見た、回転式キャップ、カプセル、ネスト、およびノズル上のねじを有するプラスチックスパウトの第４の変形の個々のパーツと、容器ボトルの分解図である。
【図２４】[0136]下から斜めに見た、回転式キャップ、カプセル、ネスト、およびノズル上のねじを有するプラスチックスパウトの個々のパーツと、容器ボトルの分解図である。
【図２５】[0137]上昇位置における本明細書において説明されるスパウトの垂直断面図である。
【図２６】[0138]下降位置における図２５のスパウトの垂直断面図である。
【図２７】[0139]容器上に配置されたスパウトの斜視図である。
【図２８】[0140]容器上に配置されたスパウトの追加の斜視図である。
【発明を実施するための形態】
【００１４】
[0141]  本明細書に提示されるスパウトのすべての変形の共通する特徴は、別個の物質を有するカプセルを含むことである。物質は、液体、粉末等の固体、または任意の実質的に流動可能な物質であり得る。カプセルは、スパウトが最初に開かれたときに、物質がカプセルの下にある容器内に落ちるように、開かされる。別の共通する特徴は、このカプセルがスパウトの内部に逆さの位置に配置されることである。これは、カプセルの固定ベースが上にあり、封止フォイルで封止された開かれる側が下にあることを意味する。カプセルは、容器ノズルの内部に存在するか、または容器ノズルの内部で少なくとも大きく突出する。スパウトの下縁は、一般に、容器ノズルまたは容器ネックの上部マージンよりも下にある。
【００１５】
[0142]  カプセルを開くために、このフォイルは、カプセルの内容物が容器内に落ちるように、特別な開封装置を使用して自動的に穿孔または切断される。スパウトの設計に応じて、この開封装置は、キャップまたはねじ込み式ノズルの内部にあることができ、平行移動の様式で押し下げられ、封止フォイルに押し付けられる。代替として、カプセルは、回転移動により螺旋に沿って押し下げられ、螺旋に沿ったさらなる回転移動により、封止フォイルが静止した開封装置によって穿孔された後、切断される。
【００１６】
[0143]  図１は、回転式キャップ１、カプセル２，および開口スリーブ１４を有するねじ込み式ノズル３を備えたプラスチックスパウトの第１の変形の個々のパーツを示す。この図では、パーツが下から斜めに見られる。パーツは、プラスチック、金属、または任意の他の都合のよい材料から作られ得る。上または右に、スパウトの回転式キャップ１が見える。周壁の一側面は、突出部４を有する。突出部４内には、突出部４の上に突出して、不正開封防止保証として機能するせん断ピン５がある。この下に、円筒形カプセル２が見られる。カプセル２の底部は開いており、充填後に封止フォイル６で封止される。周壁には、後に説明するように、摺動カーブとして機能する螺旋状カラー７がある。カプセル２は、ベース８を前にして、キャップ１の内部のガイドスリーブ９内に挿入され、キャップ１と同心位置に固定することができる。このとき、カプセル２の上部は、キャップベース上のこのガイドスリーブ９の内部にあり、ガイドスリーブ９の内部で、螺旋状マージン１０を有するガイドスリーブ２８が形成される。カプセル２をガイドスリーブ２８内にセットすることにより、螺旋状カラー７は、ガイドスリーブ９内のガイドスリーブ２８の螺旋状マージン１０に対してぴったりと閉じて、カプセル２に摺動カーブを形成する。カプセル２の下端において、これは、周縁にいくつかの直線部１２を有する横方向突出エッジ１１において切れてなくなる。カプセル２の下には、ねじ込み式ノズル３が見られる。その下部内側には、めねじ１３があり、めねじ１３を使用して、ねじ込み式ノズル３を容器ノズルのおねじにねじ込むことができる。容器は、ガラス製またはプラスチック製のボトルであり得る。同様に、容器は、プラスチックノズルを有するプラスチック容器、カートン、スチールキャニスタ等であり得る。
【００１７】
[0144]  ねじ込み式ノズル３の内部には開口スリーブ１４が同心状に延び、 開口スリーブ１４は、材料ブリッジを使用して上部にあるねじ込み式ノズル３の上部マージンに接続される。この開口スリーブ１４は、所与の例では、いくつかの平坦側面帯１５を示す。したがって、カプセル２が直線的に、すなわち、下部突出エッジ１１上の平坦部１２が開口スリーブ１４のこれら平坦側面帯１５に対向するように、カプセル２を上から開口スリーブ１４内に挿入することができる。このようにして、カプセル２は、開口スリーブ１４の内部でのスリップから保護され、ねじ込み式ノズル３の回転軸に沿って平行移動の様式でしか移動することができない。開口スリーブ１４の下端には、開口スリーブ１４の内側で上方に突出する穿孔・切断歯１７を有する穿孔・切断装置１６が示される。取り付けの行程中、キャップ１は、充填されたカプセル６を含んだ状態で上からねじ込み式ノズルに押し付けられ、封止フォイル６で下面を封止される。キャップ１の内側には、溝１８が下縁に沿って延びる。他方、ねじ込み式ノズルはカラー１９を形成し、カラー１９上に径方向突出カム２０が形成される。したがって、キャップ１の内側にある溝１８を使用して、キャップ１をこれらカム２０に押し付けることができ、次いで、カム２０は溝１８にスナップ嵌めされる。その後、キャップ１はねじ込み式ノズル３にしっかりと保持されるが、ねじ込み式ノズル３上で回転することができる。それにより、キャップ１の回転位置は、せん断ピン５が、ねじ込み式ノズル３の外側にある対応する収容穴２１に係合するように選択される。
【００１８】
[0145]  図２は、上から斜めに見た、回転式キャップ１、カプセル２、および開口スリーブ４を有するねじ込み式ノズル３を備えたプラスチックスパウトのこの第１の変形のパーツを示す。この図において、キャップマージンにある、せん断ピン５を有する突出部４が下方に突出することを見ることができる。回転式キャップ１の下には、逆さになったカプセル２が示される。キャップベース８の螺旋状カラー７は、キャップ１の内側のガイドスリーブ２８の螺旋状マージン１０と一緒になってカプセル２を開けるように機能する摺動カーブを形成する。このガイドスリーブ２８は、図１において見ることができる。カプセル２の下には、径方向突出エッジ１１を見ることができ、径方向突出エッジ１１は直線または平坦な部分１２を示す。カプセル２の下には、カラー１９と、外部に向かって半径方向に位置合わせされたスナップ嵌めカム２０とを有するねじ込み式ノズル３を見ることができる。最も外側の前面において、カム２０のそれぞれはノーズ２３を示し、ノーズ２３は、キャップ壁の内側の溝１８に嵌め込まれる。キャップエッジの下縁にあるせん断ピン５は、ねじ込み式ノズル３の外側の開口２１に嵌め込まれる。ねじ込み式ノズル３上に配置されたキャップ１を回転させた場合、この開口２１内に嵌め込まれたせん断ピン５が破断する不正開封防止保証が提供される。代替として、開口２１は、強力なボルトとして機能するピン５によって穿孔されるウィークポイントを右側に含む。
【００１９】
[0146]  したがって、カプセル２のエッジ１１上の平坦マージン１２が、開口スリーブ１４の内側の平坦部１５に対向するように、カプセル２をねじ込み式ノズル３内または開口１４内に配置することができる。次いで、カプセル２は、開口スリーブ１４内部にしっかりと保持される。開口スリーブ１４の下部エリアにおいて、上方に突出した穿孔・切断歯１７を見ることができる。ねじ込み式ノズル３の上のねじ込み式ノズル３の外側と開口スリーブ１４との間に、ねじ込み式ノズル３の内部で自由に吊るされる開口スリーブ１４を担持する材料ブリッジ２２が存在する。このブリッジは周溝２４を形成する。この溝２４の周縁の約１／４〜１／３またはこれを超える分だけ延びた領域内で、外境界壁に一続きのかかり２５が設けられる。これらかかり２５は、キャップ１の下側において突出し、図３において見られるハンドル２７と協働する。これらかかり２５と共に、このハンドル２７はラチェットを形成する。これは、キャップ１が、開口２１内のせん断ピン５ときの開始位置から逆時計回りの方向でしか回転できないことと、この回転が溝２４内の交差板２６によって制限されることとを保証する。キャップ１が一旦できるだけ回転すると、キャップ１にあるハンドル２７は交差板２６で止められる。キャップ１は、かかり２５により、このエンド位置から元の位置に回転して戻すことはもはやできない。
【００２０】
[0147]  図３は、回転式キャップ１を拡大図で下から斜めに示す。キャップ１の外壁とスリーブ９との間に形成されたハンドル２７を見ることができ、キャップ１の内部には、螺旋状外側マージン１０を有するガイドスリーブ２８が形成される。このハンドル２７は、軸方向において位置合わせされ、スリット２９で隔てられた２つのカム３０、３１で延びる。キャップ１がねじ込み式ノズル３上に配置され、開封方向に回転した場合、内側カム３０は溝２４の内境界壁に沿って摺動する一方で、外側カム３１は溝２４の外境界壁にあるかかり２５上を摺動する。両カム３０、３１の間のスリット２９は、キャップ１の中心に対するカム３１のわずかな逸れを許容し、ひいては、かかり２５の上を移動できるようにする。次いで、カム３１は各かかり２５の背後にジャンプして戻り、ハンドル２７が最終的に溝２４内の交差板２６において止まるまで、再び溝２４の外境界壁の長さに沿って摺動する。キャップ１のこの図では、突出部４内のせん断ピン５ならびに螺旋状エッジ１０の２つの部分を有するガイドスリーブ２８も見ることができる。キャップのベース上の径方向リブ３２は、キャップ内でカプセル２のベースを前にした状態でカプセル２が挿入される際、カプセル２を位置決めするために使用される。次いで、カプセルのベースはリブ３２上に立つ。
【００２１】
[0148]  図４は、別個に示された回転式キャップ１、カプセル２、および開口スリーブ１４を有するねじ込み式ノズル３を備えたプラスチックスパウトのこの第１の変形の個々のパーツを示す。螺旋状カラー７はカプセル２に外嵌される。カプセル２は、スパウトがねじ込み式ノズル３内部に組み入れられた状態では見えない。平坦部１２および突出エッジ１１は、開口スリーブ１４内側の平坦部１５に沿って導かれ、開口スリーブ１４の内部にしっかりと固定される。この位置では、カプセルの封止フォイル６は、開口スリーブ１４の下縁にある穿孔・切断歯１７の真上に存在する。キャップ１が開封方向に回転した場合、カプセル２は、キャップ１が開口スリーブ１４上を回転する間、開口スリーブ１４内の同じ回転位置に留まらなければならない。それにより、キャップ１内のガイドスリーブ２８の螺旋状エッジ１０は、カプセル２の摺動カーブ上で機能して、カプセル２を開口スリーブ１４内で平行移動により下方に押す。それにより、カプセル２の封止フォイル６は、開口スリーブ１４の周縁に存在する穿孔・切断歯１７の上に押される。したがって、穿孔・切断歯は、マージンエリアに沿ってフォイル６を穿孔し、カプセルの内容物が容器内に落ちるように切断する。
【００２２】
[0149]  図５は、回転式キャップ１、カプセル２、および開口スリーブ１４を有する、組み立てられたスパウトの個々のパーツをねじ込み式ノズル３の回転軸に沿った断面において示す。ノズル３は容器ノズル３３にねじ込まれる。この図では、螺旋状カラー７を有するカプセル２がどのように、摺動カーブ７としてガイドスリーブ２８の螺旋状エッジ１０に配置されるかが見られる。キャップが回転すると、これらエッジ１０は、カプセル２の摺動カーブ上で回転し、カプセル２を強制的に下方に移動させる。したがって、カプセル２は、開口スリーブ１４内で押し下げられ、それにより、封止フォイル６は穿孔・切断装置１６に押し付けられ、フォイルが穿孔され切断される。次いで、カプセルの内容物は容器内に落ちる。キャップ１がここでさらに回転した場合、この回転には大きなトルクが必要とされるが、ノズル３は、キャップ１、カプセル２、およびノズル３で作られた完全なスパウトが容器から取り外されるまで、容器ノズル３３のおねじから緩められる。次いで、容器は、ここではカプセル２の物質と混合された内容物を注ぎ出す準備が整う。１回量または必要な量を注ぎ出した後、従来のねじ式キャップのように、ねじ込み式ノズル３を有するスパウトを再び容器ノズル３３にねじ込むことができる。
【００２３】
[0150]  このプラスチックスパウトの第２の実施形態変形を図６に示す。容器ノズル３３は、ここでは、時計回りに延びる通常のおねじを有するねじ式ノズルとして設計される。ねじ込み式ノズル３は回転し、このねじ付きノズルに時計回りの方向でねじ込まれる。対応するねじ付きノズルは、逆時計回りのめねじを示す。特別な特徴として、この第２の実施形態のねじ込み式ノズル３は、逆時計回りで延びるおねじ４８を示す。逆時計回りのねじを有するキャップ１は、取り外し可能なストップに達するまで、上から逆時計回りの移動でこのおねじにねじ込まれる。これは、キャップ１が、細い材料ブリッジによって下縁に形成される保証テープ３４を示すことによって形成される。この保証テープ３４は、ノズル３の突出カラー３５上のストップに出会う。その頂上で、ねじ式ノズル３のマージンは、同軸状に延び且つ小径を有する開口スリーブ１４の上部マージンに径方向ブリッジを介して接続される。開口スリーブ１４は、容器ノズル３３の内部に嵌め込まれる。開口スリーブ１４の下縁に、内側に上向きに突出する穿孔・切断歯を有する穿孔・切断装置が示される。
【００２４】
[0151]  キャップ１の下側において、カプセル２の下側が最初に開き、物質が別個に充填され、その後、内側に押し込まれしっかりと保持されるフォイル６によって封止される。このカプセル２は、キャップ１のベースに直接形成することができる。キャップ１を逆さにすることにより、カプセル２が充填され封止される。スパウトが容器ノズル３３に取り付けられると、このカプセル２は、カプセル２の封止フォイル６が穿孔・切断装置の真上にあるように、容器ノズル３３の内部で突出する。保証テープ３４を除去すると、キャップ１の下縁とノズル３の突出するカラー３５との間にギャップが生じる。キャップ１は、逆時計回りの方向での回転によってさらに下方にねじ込むことができる。カプセル２はキャップ１と共に回転し、それにより、穿孔・切断装置を超えて下方に回転して、フォイル６を穿孔し切断する。その後、カプセルの内容物は容器内に落ちる。最後に、キャップ１はノズル３のカラー３５上の下縁とぶつかり、それ以上は下にねじ込むことはできない。カプセル１が、追加のトルクによって逆時計回りの方向にさらに回転した場合、ノズル３も一緒に回転し、容器ノズル３３のねじから緩められる。したがって、カプセル１およびノズル３を共に有する完全なスパウトは、容器ノズル３３から緩められ、取り外される。容器は、ここで、物質と混合された内容物を注ぎ出す準備が整う。
【００２５】
[0152]  図７は、このスパウトの個々のパーツを下から斜めに見た斜視図で示す。保持リング３９上に形成されたキャップ１内の径方向に位置合わせされたリブ３６を見ることができ、その内部に、カプセル２および物質が保持される。キャップ１の下縁において、周囲に延びる保証テープ３４を見ることができる。右側のキャップ１の近傍には、封止フォイル６を有するカプセル２がある。開口を有するカプセル２はまず、充填され、上向きに位置合わせされ、その後、カプセル２が封止されるように、封止フォイル６は封止または溶接される。次いで、カプセル２は、キャップ１内に逆さの位置に、すなわち、フォイル６が下向きであり、キャップの開かれる側の方向においてベースと位置合わせされた状態で取り付けられる。キャップ１の下には、ノズル３が見られる。これによって示されるのは、キャップ１のめねじが逆時計回りに延びるため、逆時計回りに延びるおねじ４８である。キャップ１が、上から見て左側に、すなわち逆時計回りの方向に回転した場合、保証テープ７がティルカラー３５に達するまで、キャップ１はノズル３にねじ込まれる。開口スリーブ１４は、ノズル３の下から突出する。カプセル２は、上からスリーブ１４の内部内に配置される。穿孔・切断装置１６が見られる。右側のノズル３の近傍には、関連容器ノズル３３を有する容器が示される。
【００２６】
[0153]  図８は、取り付けられた図７によるこのスパウトを回転軸に沿った断面で示す。径方向ブリッジ２２を介して開口スリーブ１４上と結合されたノズル３が見られる。この開口スリーブ１４はノズル３よりも長く、ノズルから突出する。下縁において、開口スリーブ１４は、開口スリーブ１４に接続されて開口スリーブ１４と一体化された穿孔・切断装置１６を担持する。これは、少なくとも１つの上向きの歯と、１つのわずかに位置合わせされた切断歯３７とを形成する。キャップ１の保証テープ３４は、ノズル３のカラー３５上にある。直線の破線ｙは、容器ノズル３３の上部マージンの位置を示し、直線の破線ｘは、封止フォイル６を有する挿入されたカプセル２の下縁１１の位置を示す。見られるように、この下縁１１は、明らかに、容器ノズル３３の上部マージンの下にある。言い換えれば、カプセル２は容器ノズル３３の内部で一体化されるため、カプセル２によってスパウトが通常の回転式キャップまたは蓋キャップよりも大きくなることはない。保証テープ３４がここで破断された場合、まず、回転式キャップ１を左への移動によってさらに下方にねじ込むことができる。回転式キャップ１はカプセル２と共に下方に移動し、一緒にカプセル２を回転させ、最後に、回転してカプセル２を押し、フォイル６が穿孔・切断装置１６を超える。したがって、フォイル６は、切断歯３７の回転移動によって穿孔され切断される。この開封プロセスは、キャップ１のカラー３５の下縁がノズル３上に存在するようになるまで、続けられる。
【００２７】
[0154]  切断フォイル片６がある状況を図９に示す。キャップ１は、カラー３５上のストップに出会う。キャップがここで、この位置からさらに左に回転した場合、ノズル３を強制的に一緒に回転させ、それにより、容器ノズル３３から緩められる。しかし、プラスチックスパウト全体は、ここでは空のカプセル２と一緒に容器ノズル３３から緩められる。スパウトは、容器を再び気密に封止することができるように、この容器ノズルに再びねじ込むことができる。
【００２８】
[0155]  図１０は、キャップ１の下縁に保証テープ３４を有するキャップ１を示す。この保証テープ３４は、少数の材料ブリッジを介して、またはキャップ下部マージンにおける所定の破断点として連続した細い点３８を介して、通常の方法で固定される。この図に見られるように、いくつかの窓４９が周縁に沿って長さにおいて分散している。保証テープ３４の一端において、これは、保証テープを破って取り外すために外側に折り曲げることができるグリップ面５０を形成する。逆時計回りに回転するおねじ４８を有する関連ノズル３において、カラー３５が見られる。これは、外側に向かって突出し、上側において面取りされた径方向突起５１を形成する。キャップ１が、ノズル３上のすべての側で安全保護されるようにセットされたとき、突起５１は窓４９に嵌め込まれる。下縁が突起上にある状態で保証テープ３４が存在する解決策と比較して、これら窓４９を保証テープ３４に使用するこの解決策を通して、スパウトの高さを低減することができる。ノズル３のカラー３５において、保証テープ３４の下縁において間隙５３に嵌め込まれる径方向カム５２が形成される。カム５２は、回転に対する追加の安全保障として働く。
【００２９】
[0156]  図１１では、キャップ１は下から示される。キャップの蓋の下側に形成された保持リング３９内に径方向に延びるリブ３６が見られる。これらリブ３６は、これらが保持リング３９内でベースによって押されたとき、充填され封止されたカプセル２を固定するように働く。図１２は、側方から見たキャップ１を回転軸を通る断面で示す。キャップの蓋の内側に形成された保持リング３９と、径方向内側に形成されたリブ３６が認められる。保証バンド３４はキャップ１の下に見られ、材料ブリッジまたは連続した細い点３８を介してキャップ下部マージンに保持される。
【００３０】
[0157]  図１３は、スポーツまたは飲料クロージャの形態のプラスチックスパウトの第３の実施形態を示す。個々のパーツは分解され、斜視図で示される。それにより、個々のパーツは共通軸上に位置合わせされる。スパウトは６つのパーツを含む。キャップ１として機能するパーツは、飲料クロージャとして設計される。キャップ１は、ねじ込み式ノズル３として機能する別のパーツの同軸上に配置されたストッパ４１と協働する飲料ノズル４０を形成する。このノズル内には、いくつかのリブ４２が径方向内側に位置合わせされる。カプセル２は、カプセルベース、すなわち封止フォイル６を下にした状態で固定して保持される。キャップ１は、飲料ノズル４０の上に延び、飲料ノズル４０に対向してスリーブ４４を形成する。このスリーブ４４は、ガイドノズル４５を介してノズル３上に位置決めされ、例に示すように、容器ノズル３３上に封止されて固定される。ガイドノズル４５内には、外壁に軸方向に延びる間隙４６を有する開口スリーブ１４がある。この開口スリーブ１４の下端には、上向きに位置合わせされた穿孔・切断歯１７を有する穿孔・切断装置１６がある。封止フォイル６を有するカプセル２は、ストッパ４１が押し下げられると、フォイル６を有するカプセル２が、穿孔・切断装置１６に押し付けられるように、穿孔・切断装置１４に対して開口スリーブ内で下方にセットされる。
【００３１】
[0158]  図１４は受けスリーブ１４を示す。その下縁には、穿孔・切断装置１６が見られる。開口スリーブ１４の外側に、飲料スパウトが開かれたときに液体が流出することができるように、いくつかのチャネル４６が存在する。図１５では、開口スリーブ１４を上から見られる。この図では、穿孔・切断装置１６の個々の歯１７を見ることができる。
【００３２】
[0159]  図１６は、初期位置にある取り付けられた状態のプラスチックスパウトを示す。保護キャップ４７もキャップ１上に配置される。ストッパ４１は、マウスピース４０の開口を通って突出し、この開口を封止する。開口スリーブ１４内のカプセル２は、下から挿入され、リブ４２によって上に保持され、底部の封止フォイル６によって封止される。カプセル２のフォイル６の下には、開口スリーブ１４の下縁に形成された穿孔・切断装置１６が存在する。スパウトを開くために、保護キャップ４７はまず図１７に示すように取り外される。ここで、指でストッパ４１を押すことができる。その結果、カプセル２は開口スリーブ１４内で押し下げられ、フォイル６が穿孔・切断装置に押し付けられる。それにより、フォイル６は、図１８に示すように、穿孔され切断される。ここでカプセル２は開かれ、内容物が容器内に落ちることができる。ここで、飲料ノズル４０はすでに、約４ｍｍ程度だけ、ロック位置まで引き上げられている。この位置において、ストッパ４１は、飲料ノズル４０の開口を閉じる。飲料スパウトを開くには、キャップ１を一番上のロック位置までさらに引き上げなければならず、次いで、キャップ１は合計で約６ｍｍ程度引き下げられる。これは図１９に示される。この位置において、スパウトは、飲料ノズル４０を口にセットする準備が整う。飲料ノズル４０を押し戻すことにより、スパウトを再び封止し閉じることができる。
【００３３】
[0160]  図２０は、閉位置にある、いくらか長く設計された飲料ノズル４０を有するスパウトを示す。飲料ノズル４０は、ストッパ４１が開口内で突出し、開口を閉じるまで押し戻される。図２１は、開位置にあるこの飲料ノズル４０を示す。図２２は、軸に沿って数度だけ回転された位置を示し、液体流出が矢印で示される。液体は、開口スリーブ１４内を間隙４６に沿って流れ、ガイドノズル４５に到達し、ストッパ４１内を流れ、最終的に飲料ノズル４０の開口を通って外部に流れる。
【００３４】
[0161]  図２３〜図２８は、本明細書において説明したような材料解放スパウト１００のさらなる実施形態を示す。材料解放スパウト１００は、キャップ１１０と、カプセル１２０と、ねじ込み式ノズル１３０等のベースと、を含む。材料解放スパウト１００のキャップ１１０、カプセル１２０、およびねじ込み式ノズル１３０の設計は、上の要素と同様であり得、従来の容器１５０のスパウト１４０に使用され得る。
【００３５】
[0162]  螺旋状カラー７を有するカプセル２に代えて、材料解放スパウト１００は、カプセルネスト１６０を有するカプセル１２０を使用し得る。この実施形態では、カプセル１２０は、一端上の水平出張り１８０の周囲にいくつかの直線部１７０を有し得る。水平出張り１８０は、フォイル１９０で覆われ得る。カプセル１２０の他端は、ベース２００で終端し得る。カプセル１２０は、非常に薄いプラスチック材料から熱成形プロセスで作られ得る。したがって、カプセル１２０はいくらか可撓性を有し得る。本明細書において、他の製造技法を使用してもよい。カプセル１２０は、内部に位置決めされた材料２１０を有し得る。材料２１０は、任意の所望の流動可能な物質であり得る。
【００３６】
[0163]  カプセル１２０は、カプセルネスト１６０内に位置決めされ得る。カプセルネスト１６０は、一端に螺旋状エッジ２２０を有し、他端にベース２５０を有する実質的に中空の個片であり得る。カプセルネスト１６０は、いくつかの直線部２４０を有する側壁２３０を有し得る。本明細書において、他の設計を使用してもよい。カプセルネスト１６０は、実質的に剛性の材料で作られ得、射出成形され得る。本明細書において、他の製造技法を使用してもよい。カプセル１２０は、カプセルの水平出張り１８０がカプセルネスト１６０のベース２５０において接触するように、カプセルネスト１６０内に嵌め込まれる。
【００３７】
[0164]  キャップ１１０は、上述したキャップ１とほとんど同様であり得る。キャップ１１０は、突出部２７０を有する円形側壁２６０を含み得る。側壁２６０は、内部に位置決めされたいくつかのマイクロリブも有し得る。側壁２６０は、手触りの柔らかい熱可塑性エラストマーまたは同様の種類の材料から作られ得る。キャップ１１０は、ガイドスリーブ２８０を内部に含み得る。ガイドスリーブ２８０は、内部に形成された螺旋状マージン２９０を有し得る。螺旋状マージン２９０は、カプセルネスト１６０の螺旋状エッジ２２０と協働する。キャップ１１０は、ガイドスリーブ２８０の周囲に位置決めされたいくつかのカム３００も有し得る。この実施形態では、２組のカム３００が使用され得る。
【００３８】
[0165]  ベースまたはねじ込み式ノズル１３０も、上記のねじ込み式ノズル３と同様であり得る。ねじ込み式ノズル１３０は、内部に内部開口スリーブ３２０が位置決めされた側壁３１０も有し得る。ねじ込み式ノズル１３０は、一端に位置決めされたいくつかのかかり３３０および／またはいくつかの交差板３３５を有し得る。かかり３３０および交差板３３５は、カム３００と協働し、所望のときにキャップ１１０を所定の位置にロックすると共に、ねじ込み式ノズル１３０の回転の可聴的な感知を提供する。側壁３１０は、ねじ込み式ノズル１３０を容器１５０のスパウト１４０上に位置決めできるように、他端にいくつかのめねじ３４０も有し得る。本明細書において、他の種類の取り付け手段を使用してもよい。側壁３１０は、キャップ１１０の突出部２７０と位置合わせするように、内部に位置決めされたピン３４５も有し得る。
【００３９】
[0166]  開口スリーブ３２０は、内部に位置決めされた穿孔・切断装置３５０を有し得る。上述したように、穿孔・切断装置３５０は、内部に位置決めされたいくつかの歯３５０を含み得る。本明細書において、他の種類のカッター、穿孔機、または他の開封手段を使用してもよい。回転可能なフランジ３７０が、穿孔・切断装置３５０の周囲に開口スリーブ３２０の端を横切って延びてよく、それにより、フォイル１９０がいずれも容器１５０内に入らないようにすることができる。
【００４０】
[0167]  図２５および図２６は、容器１５０への材料解放スパウト１００の使用を示す。特に、カプセル１２０は、カプセルネスト１６０内に位置決めされ得る。カプセルネスト１６０は、螺旋状エッジ２２０および螺旋状マージン２９０が位置合わせされるように、キャップ１１０の開口スリーブ３２０内に位置決めされ得る。次いで、キャップ１１０、カプセル１２０、およびカプセルネスト１６０は、ねじ込み式ノズル１３０上に位置決めされ得る。キャップ１１０の突出部２７０は、ねじ込み式ノズル１３０上のピン３４５と位置合わせされる。材料解放スパウト１００は、容器のスパウト１４０上に位置決めされ得る。
【００４１】
[0168]  図２５に示すように、カプセル１２０のベース２５０は、ねじ込み式ノズル１３０の開口スリーブ３２０内に位置決めされると共に、上昇位置において、穿孔・切断装置３５０の歯３６０の上に位置決めされる。図２６に示すように、螺旋状エッジ２２０および螺旋状マージン２９０に沿ったキャップ１１０の回転により、カプセル１２０およびカプセルネスト１６０は下方に回転し、それにより、カプセル１２０のフォイル１９０は穿孔・切断装置３５０の歯３６０に接触して回転する。したがって、フォイル１９０は切断されるか、または開かれ、材料２１０はカプセル１２０から解放され、容器１５０に流入する。キャップ１１０を引き続き回転させることにより、ねじ式ノズル１３０のかかり３３０および交差板３３５はキャップ１１０のカム３００に当接し、キャップ１１０だけをさらに回転させることが不可能になる。したがって、キャップ１１０をさらに回転させることにより、全材料解放弁１００が容器１５０のスパウト１４０から取り外される。
【図１】
0005576128.tif 000002
【図２】
0005576128.tif 000003
【図３】
0005576128.tif 000004
【図４】
0005576128.tif 000005
【図５】
0005576128.tif 000006
【図６】
0005576128.tif 000007
【図７】
0005576128.tif 000008
【図８】
0005576128.tif 000009
【図９】
0005576128.tif 000010
【図１０】
0005576128.tif 000011
【図１１】
0005576128.tif 000012
【図１２】
0005576128.tif 000013
【図１３】
0005576128.tif 000014
【図１４】
0005576128.tif 000015
【図１５】
0005576128.tif 000016
【図１６】
0005576128.tif 000017
【図１７】
0005576128.tif 000018
【図１８】
0005576128.tif 000019
【図１９】
0005576128.tif 000020
【図２０】
0005576128.tif 000021
【図２１】
0005576128.tif 000022
【図２２】
0005576128.tif 000023
【図２３】
0005576128.tif 000024
【図２４】
0005576128.tif 000025
【図２５】
0005576128.tif 000026
【図２６】
0005576128.tif 000027
【図２７】
0005576128.tif 000028
【図２８】
0005576128.tif 000029